【手続補正書】
【提出日】令和3年2月22日(2021.2.22)
【手続補正１】
【補正対象書類名】特許請求の範囲
【補正対象項目名】全文
【補正方法】変更
【補正の内容】
【特許請求の範囲】
【請求項１】
第１のソース色域または第２のソース色域の一方からの色をターゲット色域に向けて色域マッピングするための方法であって、
無彩色、前記第１のソース色域の特有の色、前記第２のソース色域の対応する特有の色および前記ターゲット色域の対応する特有の色を含む色の少なくとも１つの第１のセットにアクセスすることと、
前記ターゲット色域の前記特有の色の色相に対応する一定の色相の色を含む色の少なくとも１つの第２のセットにアクセスすることと、
色の前記少なくとも１つの第１のセットからの少なくとも１つの色の色相と、色の前記少なくとも１つの第２のセットからの少なくとも１つの他の色の色相との差に基づいて、前記第１のソース色域または前記第２のソース色域の前記色のうちの１つの前記ターゲット色域に向けた色域マッピングを実行し、色の前記第２のセットからの前記他の色は、色の前記第１のセットからの前記１つの色と同一の彩度を有することとを含むこととを含み、
前記特有の色は、特定のグループの原色、二次色、特定のグループの原色および二次色から選択される少なくとも1つであることを特徴とする、第１のソース色域または第２のソース色域の一方からの色をターゲット色域に向けて色域マッピングするための方法。
【請求項２】
前記第１のソース色域、第２のソース色域および前記ターゲット色域は、光軸および色度面を有する少なくとも１つの色空間の中にあり、前記色のうちの１つの色域マッピングを実行することは、前記色相の差に基づいてマッピング後の色の前記色相に向かって前記色の色相を回転させることを含む、請求項１に記載の方法。
【請求項３】
前記第１のソース色域または前記第２のソース色域の前記色のうちの１つの色域マッピングを実行することは、色の前記第１のセットのうちの少なくとも１つの他のものの少なくとも１つの色を決定すること、色の第１のセットのうちの前記少なくとも１つの前記少なくとも１つの色に関する色相の差と、色の第１のセットのうちの前記少なくとも１つの他のものの前記少なくとも１つの色に関する色相の差とに基づいて前記色の色相を補間することとをさらに含む、請求項１または２のいずれかに記載の方法。
【請求項４】
前記第１のソース色域または前記第２のソース色域の前記色のうちの１つの色域マッピングを実行することは、マッピング後の色が、前記ターゲット色域の中にあるような飽和度圧縮と、前記マッピング後の色が前記ターゲット色域のより大きな部分を埋めるような飽和度拡張とをさらに含む、請求項１から３のいずれかに記載の方法。
【請求項５】
第１のソース色域または第２のソース色域の一方からのソースカラーをターゲット色域に向けて色域マッピングするためのシステムであって、
無彩色、前記第１のソース色域の特有の色、前記第２のソース色域の対応する特有の色および前記ターゲット色域の対応する特有の色を含む色の少なくとも１つの第１のセットにアクセスするように構成されたプロセッサと、
前記ターゲット色域の前記特有の色の色相に対応する一定の色相の色を含む色の少なくとも１つの第２のセットにアクセスするように構成されたプロセッサを備え、−前記プロセッサは、色の前記第１のセットからの少なくとも１つの色の色相と、色の前記少なくとも１つの第２のセットからの少なくとも１つの他の色の色相との差に基づいて、第１のソース色域または第２のソース色域の前記色のうちの１つの前記ターゲット色域に向けた色域マッピングを実行するようにさらに構成され、色の前記第２のセットからの前記他の色は、色の前記第１のセットからの前記１つの色と同一の彩度を有し、
前記特有の色は、特定のグループの原色、二次色、特定のグループの原色および二次色から選択される少なくとも1つであることを特徴とする、第１のソース色域または第２のソース色域の一方からのソースカラーをターゲット色域に向けて色域マッピングするためのシステム。
【請求項６】
前記第１のソース色域、第２のソース色域および前記ターゲット色域は、光軸および色度面を有する少なくとも１つの色空間の中にあり、前記プロセッサは、前記色相の差に基づいて前記色の色相をマッピング後の色の色相に向けて回転させることによって前記色のうちの１つの色域マッピングを実行するようにさらに構成される、請求項５に記載のシステム。
【請求項７】
前記プロセッサは、色の前記第１のセットのうちの前記少なくとも１つの他のものの少なくとも１つの色を決定し、色の第１のセットの前記少なくとも１つの前記少なくとも１つの色に関する色相の差と、色の第１のセットのうちの前記少なくとも１つの他のものの前記少なくとも１つの色に関する色相の差とに基づいて前記色の色相を補間することによって、第１のソース色域または第２のソース色域の前記色のうちの１つの色相マッピングを実行するようにさらに構成される、請求項５または６のいずれかに記載のシステム。
【請求項８】
前記プロセッサは、マッピング後の色が前記ターゲット色域の中にあるような飽和度圧縮と、前記マッピング後の色が前記ターゲット色域のより大きな部分を埋めるような飽和度拡張をさらに実行することによって、前記第１のソース色域または前記第２のソース色域の前記色のうちの１つの色域マッピングを実行するようにさらに構成される、請求項５から７のいずれかに記載のシステム。
【請求項９】
プロセッサによって実行可能な一セットの命令を含むコンピュータプログラムを備える非一時的コンピュータ可読記憶媒体であって、
第１のソース色域または第２のソース色域の一方からの色をターゲット色域に向けて色域マッピングするための前記命令は、
無彩色、前記第１のソース色域の特有の色、前記第２のソース色域の対応する特有の色および前記ターゲット色域の対応する特有の色を含む色の少なくとも１つの第１のセットにアクセスすることと、
前記ターゲット色域の前記特有の色の色相に対応する一定の色相の色を含む色の少なくとも１つの第２のセットにアクセスすることと、
色の前記第１のセットからの少なくとも１つの色の色相と、色の前記少なくとも1つの第２のセットからの少なくとも１つの他の色の色相との差に基づいて、前記第１のソース色域または前記第２のソース色域の前記色のうちの１つを前記ターゲット色域に向けて色域マッピングし、色の前記第２のセットからの前記他の色は、色の前記第１のセットからの前記１つの色と同一の彩度を有することとを含み、
前記特有の色は、特定のグループの原色、二次色、特定のグループの原色および二次色から選択される少なくとも１つである、非一時的コンピュータ可読記憶媒体
【請求項１０】
ルックアップテーブルを決定することをさらに含み、前記ルックアップテーブルは、前記色相の差に基づいた前記第１のソース色域または前記第２のソース色域の色に関する前記ターゲット色域に向けた色域マッピングに基づいて決定された結果として生じるＬＵＴ色に対する入力ＬＵＴ色のマッピングを含む、請求項９に記載の非一時的コンピュータ可読記憶媒体。
【請求項１１】
前記第１のソース色域、第２のソース色域および前記ターゲット色域は、光軸および色度面を有する少なくとも１つの色空間の中にあり、前記色のうちの１つの色域マッピングを実行することは、前記色相の差に基づいてマッピング後の色の色相に向けて前記色の色相を回転させることを含む、請求項９または１０のいずれかに記載の非一時的コンピュータ可読記憶媒体。
【請求項１２】
前記第１のソース色域または前記第２のソース色域の前記色のうちの１つの色域マッピングを実行することは、色の前記第１のセットのうちの少なくとも１つの他のものの少なくとも１つの色を決定し、色の第１のセットの前記少なくとも１つの前記少なくとも１つの色に関する色相の差と、色の第１のセットのうちの前記少なくとも１つの他のものの前記少なくとも１つの色に関する色相の差に基づいて前記色の色相を補間することをさらに含む、請求項９から１１のいずれかに記載の非一時的コンピュータ可読記憶媒体。
【請求項１３】
前記第１のソース色域または前記第２のソース色域の前記色のうちの１つの色域マッピングを実行することは、マッピング後の色が前記ターゲット色域の中にあるような飽和度圧縮と、前記マッピング後の色が前記ターゲット色域のより大きな部分を埋めるような飽和度拡張とをさらに含む、請求項９から１２のいずれかに記載の非一時的コンピュータ可読記憶媒体。
【手続補正２】
【補正対象書類名】明細書
【補正対象項目名】０１０４
【補正方法】変更
【補正の内容】
【０１０４】
添付の図面に描かれる構成するシステム構成要素および方法の一部は好ましくはソフトウェアに実装されるため、システム構成要素間、またはプロセス機能ブロック間の実際の接続は、本発明が履行されるやり方に応じて異なる場合があることをさらに理解されたい。
なお、上述の実施形態の一部又は全部は、以下の付記のように記載され得るが、以下には限定されない。
（付記１）
第１のソース色域または第２のソース色域の一方からの色をターゲット色域に向けて色域マッピングするための方法であって、
無彩色（０）、前記第１のソース色域の特有の色、前記第２のソース色域の対応する特有の色および前記ターゲット色域の対応する特有の色を含む色の少なくとも１つの第１のセット（４０３）にアクセスすることと、
前記ターゲット色域の前記特有の色の色相に対応する一定の色相の色を含む色の少なくとも１つの第２のセット（４０４）にアクセスすることと、
色の前記少なくとも１つの第１のセット（４０３）からの少なくとも１つの色の色相と、色の前記少なくとも１つの第２のセット（４０４）からの少なくとも１つの他の色の色相との差に基づいて、前記第１のソース色域または前記第２のソース色域の前記色のうちの１つの前記ターゲット色域に向けた色域マッピング（５０７）を実行し、色の前記第２のセットからの前記他の色は、色の前記第１のセット(４０３）からの前記１つの色と同一の彩度を有することとを含むこととを含み、
前記特有の色は、特定のグループの原色、二次色、特定のグループの原色および二次色から選択される少なくとも1つであることを特徴とする、第１のソース色域または第２のソース色域の一方からの色をターゲット色域に向けて色域マッピングするための方法。
（付記２）
前記第１のソース色域、第２のソース色域および前記ターゲット色域は、光軸および色度面を有する少なくとも１つの色空間の中にあり、前記色のうちの１つの色域マッピングを実行することは、前記色相の差に基づいてマッピング後の色の前記色相に向かって前記色の色相を回転させることを含む、付記１に記載の方法。
（付記３）
前記第１のソース色域または前記第２のソース色域の前記色のうちの１つの色域マッピングを実行することは、色の前記第１のセットのうちの少なくとも１つの他のものの少なくとも１つの色を決定すること、色の第１のセットのうちの前記少なくとも１つの前記少なくとも１つの色に関する色相の差と、色の第１のセットのうちの前記少なくとも１つの他のものの前記少なくとも１つの色に関する色相の差とに基づいて前記色の色相を補間することとをさらに含む、付記１または２のいずれかに記載の方法。
（付記４）
前記第１のソース色域または前記第２のソース色域の前記色のうちの１つの色域マッピングを実行することは、マッピング後の色が、前記ターゲット色域の中にあるような飽和度圧縮と、前記マッピング後の色が前記ターゲット色域のより大きな部分を埋めるような飽和度拡張とをさらに含む、付記１から３のいずれかに記載の方法。
（付記５）
第１のソース色域または第２のソース色域の一方からのソースカラーをターゲット色域に向けて色域マッピングするためのシステムであって、
−無彩色（０）、前記第１のソース色域の特有の色、前記第２のソース色域の対応する特有の色および前記ターゲット色域の対応する特有の色を含む色の少なくとも１つの第１のセット（４０３）にアクセスするように構成されたプロセッサと、
−前記ターゲット色域の前記特有の色の色相に対応する一定の色相の色を含む色の少なくとも１つの第２のセット（４０４）にアクセスするように構成されたプロセッサを備え、−前記プロセッサは、色の前記第１のセット（４０３）からの少なくとも１つの色の色相と、色の前記少なくとも１つの第２のセット（４０４）からの少なくとも１つの他の色の色相との差に基づいて、第１のソース色域または第２のソース色域の前記色のうちの１つの前記ターゲット色域に向けた色域マッピング（５０７）を実行するようにさらに構成され、色の前記第２のセットからの前記他の色は、色の前記第１のセット（４０３）からの前記１つの色と同一の彩度を有し、
前記特有の色は、特定のグループの原色、二次色、特定のグループの原色および二次色から選択される少なくとも1つであることを特徴とする、第１のソース色域または第２のソース色域の一方からのソースカラーをターゲット色域に向けて色域マッピングするためのシステム。
（付記６）
前記第１のソース色域、第２のソース色域および前記ターゲット色域は、光軸および色度面を有する少なくとも１つの色空間の中にあり、前記プロセッサは、前記色相の差に基づいて前記色の色相をマッピング後の色の色相に向けて回転させることによって前記色のうちの１つの色域マッピングを実行するようにさらに構成される、付記５に記載のシステム。
（付記７）
前記プロセッサは、色の前記第１のセットのうちの前記少なくとも１つの他のものの少なくとも１つの色を決定し、色の第１のセットの前記少なくとも１つの前記少なくとも１つの色に関する色相の差と、色の第１のセットのうちの前記少なくとも１つの他のものの前記少なくとも１つの色に関する色相の差とに基づいて前記色の色相を補間することによって、第１のソース色域または第２のソース色域の前記色のうちの１つの色相マッピングを実行するようにさらに構成される、付記５または６のいずれかに記載のシステム。
（付記８）
前記プロセッサは、マッピング後の色が前記ターゲット色域の中にあるような飽和度圧縮と、前記マッピング後の色が前記ターゲット色域のより大きな部分を埋めるような飽和度拡張をさらに実行することによって、前記第１のソース色域または前記第２のソース色域の前記色のうちの１つの色域マッピングを実行するようにさらに構成される、付記５から７のいずれかに記載のシステム。
（付記９）
プロセッサによって実行可能な一セットの命令を含むコンピュータプログラムを備える非一時的コンピュータ可読記憶媒体であって、
第１のソース色域または第２のソース色域の一方からの色をターゲット色域に向けて色域マッピングするための前記命令は、
−無彩色（０）、前記第１のソース色域の特有の色、前記第２のソース色域の対応する特有の色および前記ターゲット色域の対応する特有の色を含む色の少なくとも１つの第１のセット（４０３）にアクセスすることと、
−前記ターゲット色域の前記特有の色の色相に対応する一定の色相の色を含む色の少なくとも１つの第２のセット（４０４）にアクセスすることと、
−色の前記第１のセット（４０３）からの少なくとも１つの色の色相と、色の前記少なくとも1つの第２のセット（４０４）からの少なくとも１つの他の色の色相との差に基づいて、前記第１のソース色域または前記第２のソース色域の前記色のうちの１つを前記ターゲット色域に向けて色域マッピングし、色の前記第２のセットからの前記他の色は、色の前記第１のセット（４０３）からの前記１つの色と同一の彩度を有することとを含み、
前記特有の色は、特定のグループの原色、二次色、特定のグループの原色および二次色から選択される少なくとも１つである、非一時的コンピュータ可読記憶媒体
（付記１０）
ルックアップテーブルを決定することをさらに含み、前記ルックアップテーブルは、前記色相の差に基づいた前記第１のソース色域または前記第２のソース色域の色に関する前記ターゲット色域に向けた色域マッピングに基づいて決定された結果として生じるＬＵＴ色に対する入力ＬＵＴ色のマッピングを含む、付記９に記載の非一時的コンピュータ可読記憶媒体。
（付記１１）
前記第１のソース色域、第２のソース色域および前記ターゲット色域は、光軸および色度面を有する少なくとも１つの色空間の中にあり、前記色のうちの１つの色域マッピングを実行することは、前記色相の差に基づいてマッピング後の色の色相に向けて前記色の色相を回転させることを含む、付記９または１０のいずれかに記載の非一時的コンピュータ可読記憶媒体。
（付記１２）
前記第１のソース色域または前記第２のソース色域の前記色のうちの１つの色域マッピングを実行することは、色の前記第１のセットのうちの少なくとも１つの他のものの少なくとも１つの色を決定し、色の第１のセットの前記少なくとも１つの前記少なくとも１つの色に関する色相の差と、色の第１のセットのうちの前記少なくとも１つの他のものの前記少なくとも１つの色に関する色相の差に基づいて前記色の色相を補間することをさらに含む、付記９から１１のいずれかに記載の非一時的コンピュータ可読記憶媒体。
（付記１３）
前記第１のソース色域または前記第２のソース色域の前記色のうちの１つの色域マッピングを実行することは、マッピング後の色が前記ターゲット色域の中にあるような飽和度圧縮と、前記マッピング後の色が前記ターゲット色域のより大きな部分を埋めるような飽和度拡張とをさらに含む、付記９から１２のいずれかに記載の非一時的コンピュータ可読記憶媒体。